(57)【要約】【課題】  墓参りの際に、墓前に花、蝋燭及び線香等を供える作業が容易且つ効率的に行うことができる墓を提供することを目的とする。【解決手段】  墓の前面側に出し入れ可能なスライド板３，５を備え、前記スライド板３は、ガイド部材４によって前後方向に移動可能に備えられており、前記スライド板５は、回転手段によって鉛直軸心方向に回転自在に備えられており、前記ガイド部材４及び回転手段には、スライド板３，５を出し入れした位置に固定しておくためのストッパー部材４１ａ，４１ｂ，５５，５６，５７，５８が備えてあることを特徴とする。【選択図】      図２
2007100439.tif 000002
【特許請求の範囲】
【請求項１】
墓の前面側に出し入れ可能なスライド板（３，５）を備えていることを特徴とする墓。
【請求項２】
前記スライド板（３）は、ガイド部材（４）によって前後方向に移動可能に備えてあることを特徴とする請求項１記載の墓。
【請求項３】
前記スライド板（５）は、回転手段によって鉛直軸心方向に回転自在に備えられていることを特徴とする請求項１記載の墓。
【請求項４】
前記ガイド部材（４）及び回転手段には、スライド板（３，５）を出し入れした位置に固定しておくためのストッパー部材（４１ａ，４１ｂ，５５，５６，５７，５８）が備えてあることを特徴とする請求項２又は３記載の墓。
【発明の詳細な説明】
【技術分野】
【０００１】
本発明は、墓参りにおいて墓前に花、蝋燭及び線香等を供える際に、一時的にそれらを準備するための場所として使用することができる出し入れ可能なスライド板を備えた墓に関するものである。
【背景技術】
【０００２】
墓は、宗教、地域等により、日本各地で様々な形態のものがある。また、最近では、墓に対する価値観も変わりつつあり、非常に個性溢れる形態のものも普及してきている。そのような中でも、一般的なものとしては、図１２に示すような、遺骨を収容する納骨堂８０を台座９０とし、その上面に竿石８１、上台８２、中台８３の墓石９１を載置する昔からある伝統的な形態のものである。
【発明の開示】
【発明が解決しようとする課題】
【０００３】
しかし、上述したような墓は、台座９０上面の手前側、即ち墓石９１の正面側部分に花立８７、蝋燭及び線香立８８等が載置されるため、台座９０上面の手前側に十分なスペースが確保されず、墓参りの際に、墓前に供える花、蝋燭及び線香等を準備する場所が無かった。そのため、台座９０上面の左右側部分や地面等を利用してお供え物の準備をしなければならず、供える場所から離れてしまうこともあって作業面上非常に不都合が生じていた。特に蝋燭や線香といった火を点すものに関しては、準備する場所から蝋燭及び線香立８８まで運ぶ際に、途中で風等により火が消えてしまったりすることが多々あり非常に不便であった。
【０００４】
上記のような問題は、図１２のような一般的な形態の墓だけに限るものではなく、他の形態の墓にも共通して言えることであり、この問題を解決するために、従来、墓の前に供物台を別個に設置したり、敷地内に椅子としても使用可能な作業台を設置したりする墓が提案されていた。しかしながら、供物を備えたままの状態にしておくと、野生動物に荒らされたりする問題や、供物の後始末の問題、さらに衛生上の問題等が深刻となっており、近年では、供物は墓参りが終わったら直ぐに持ち帰らなければならず、墓参りの間のほんの短い時間に供物を置くだけのために、墓の前面に突出する状態で供物台を設置することはスペース的に無駄であると共に、前面側に突出した分、蝋燭立や線香立等から遠ざかるためその作業がしづらくなるだけでなく、常に供物台が外観に露出しているのは体裁上あまり好ましくなかった。また、敷地内に作業台を設置するにしろ、敷地が大きい場合には好適であるが、ほとんどの場合は限られた狭い敷地内に墓を建てるため、作業台を設置するスペースは全くないと言ってもよく、たとえ設置できたとしても、作業台から墓前までに距離があるため作業効率が悪いという欠点があった。
【０００５】
そこで本発明は、前記事情に基づいてなされたものであり、墓参りの際に、墓前に花、蝋燭及び線香等を供える作業が容易且つ効率的に行うことができる墓を提供することを目的とする。
【課題を解決するための手段】
【０００６】
上記目的を達成するために、本発明のうち請求項１記載の発明は、墓の前面側に出し入れ可能なスライド板を備えていることを特徴とする。
【０００７】
ここで、墓とは、どのような形態のものであってもよく、例えば遺骨を収納する納骨堂と、納骨堂の上面に載置する墓石とからなる一般的な墓等の全ての形態の墓を含める概念である。また、墓石とは、台座となる納骨堂以外の竿石、上台、中台の角台と、蓮華等を含める概念である。スライド板とは、墓参り等使用する必要がある場合のみ手前に引き出すもので、それ以外の場合には、墓の内部に収容されるように備えられている。スライド板を備える箇所に関しては、墓の前面側であれば特に問わないが、より効率的に作業が行えるように、花、蝋燭及び線香立が載置してある下方部分又は納骨堂の上方部分、即ち墓石と納骨堂の間に備えることが望ましい。また、スライド板の材質に関しては、墓の外観上の体裁を考慮し、墓石と同じ石材で形成するか、もしくは、墓の厳かな雰囲気を保持できる材質を使用して形成することが望ましい。
【０００８】
スライド板については、請求項２記載の発明のように、ガイド部材によって前後方向に移動可能に備えてあることを特徴とする。ガイド部材とは、スライド板をスムーズに前後方向に移動させることができる構成を成しているものを全て含める概念であり、例えばガイドレールとガイドレールに沿って移動する突起等から構成することができる。スライド板には、スライド板の出し入れ作業が容易に行えるように持ち手を備えることが望ましく、その構成として、例えばスライド板の手前側に突起部を設けたり、スライド板の下面に指が入るぐらいの凹状の溝を形成したりする方法が挙げられる。
【０００９】
また、スライド板は、前記のように前後方向に移動可能に備えてもよいが、請求項３記載の発明のように、スライド板を回転手段によって鉛直軸心方向に回転自在に備えてもよい。スライド板の形状に関しては、特に問うものではないが、略半円状や略楕円形、略扇形等にすることが望ましい。このような形状にすることで、スライド板の角部が減るため、スライド板を回転させて出し入れする際の安全性を向上させることができる。また、スライド板には、スライド板の出し入れ作業が容易に行えるように持ち手を備えることが望ましい。持ち手に関しては、スライド板の回転に支障がなく、また、出し入れ作業が容易に行うことが可能であれば特に限定されるものではなく、例えばスライド板の下面に指が入るぐらいの凹状の溝を形成したり、スライド板の側面に突起部を設けたりする方法が挙げられる。
【００１０】
請求項４記載の発明は、ガイド部材及び回転手段にスライド板を出し入れした位置に固定しておくためのストッパー部材が備えていることを特徴とする。ストッパー部材とは、スライド板が前後方向又は鉛直軸心方向に回転可能で且つ少なくとも墓の前面側に引き出した場合と、墓内部に収納した場合に移動又は回転が規制される構成を成しているものである。
【発明の効果】
【００１１】
本発明のうち請求項１記載の発明によれば、スライド板を手前に引き出すことで、スライド板を簡易テーブルとして使用することが可能となり、花、蝋燭及び線香立の前面側に作業スペースが確保されるため、墓前に花等のお供え物をする場合の作業効率を向上させることができる。また、スライド板は、必要な場合にのみ手前に引き出して使用すればよく、不要な場合には墓内部に収納しておけるので、常に外部に露出しているわけではないため敷地内を有効に利用することができると共に、墓の外観を損ねるような問題もない。
【００１２】
本発明のうち請求項２記載の発明によれば、スライド板を前後方向に移動可能に備えることにより、スライド板を使用する場合には、スライド板を手前に引くだけでよく、反対に、スライド板を収納する場合には、スライド板を奥へ押すだけでよいので、スライド板の出し入れ作業を容易に行うことができる。また、ガイド部材によってスライド板をスムーズに出し入れすることが可能となり、作業効率を向上させることができる。特に、女性やお年寄り、障害者等の比較的力の弱い人にとって非常に好都合となる。
【００１３】
本発明のうち請求項３記載の発明によれば、スライド板を鉛直軸心方向に回転可能に備えても、前記と同様の効果が得られると共に、スライド板を墓の前面側に出し入れする際に生じる摩擦を低減させることが可能となり、スライド板の出し入れ作業が非常に容易になると共に、花等を供える作業効率のより一層の向上化を図ることができる。
【００１４】
本発明のうち請求項４記載の発明によれば、ガイド部材及び回転手段にストッパー部材を備えることにより、スライド板を使用する際には、スライド板を墓の前面側に引き出した位置で固定しておくことが可能となり、作業中にスライド板が動くのを防ぐことができるため、作業効率をより一層向上することができる。また、スライド板を使用しない際には、墓の内部にスライド板を収納した状態で固定し維持することが可能となり、墓の外観を損なうことを完全に防ぐことができる。
【発明を実施するための最良の形態】
【００１５】
以下、本発明の実施形態を図面に基づいて説明する。
【００１６】
図１に示すように、本発明の第１実施形態の墓は台座１と、その上部に載置する墓石２と、から構成されている。尚、本発明の墓は、花崗岩（御影石）や安山岩等一般的に広く使用されている石材から形成されている。台座１は平板状の土台１１と、その上に載置される内部に遺骨を収容する箱形の納骨堂１２と、納骨堂１２の上部を塞ぐ平板状の蓋石１３と、から構成されている。また、墓石２は、台座１の上部に載置されるものであり、前記蓋石１３の上面には下から中台２１、上台２２、竿石２３の順に載置されている。中台２１の前面側の蓋石１３の上面には蝋燭及び線香立２４が固定載置され、その両側に一対の花立２５が固定載置されている。
【００１７】
図２に示すように、蓋石１３と納骨堂１２の間には、上から順に笠石１４、スライド石３、スライド石３を前後方向にスライドさせるスライド金具４が配設されている。スライド石３を蓋石１３と納骨堂１２の間に備えることによって、スライド石３の出し入れ作業が容易に行える高さであると共に、蝋燭及び線香立２４等の真下付近にスライド石３を引き出すことが可能となるため、供物の準備等の作業を容易に行うことができるだけでなく、どの石にも特別な加工を施すことなくスライド石３を設置することができるので、設置費用が嵩まず非常に都合が良い。また、笠石１４の真下に設置するので、スライド石３を使用している時は別として、雨が降ってもスライド石３部分に雨が入り込まないので都合が良い。納骨堂１２の前面側には平板状の観音開き式の扉石１５が備えてあり、上面には納骨堂１２を封するための納骨堂用蓋石１６が載置されている。笠石１４の形状は長方形の平板状であり、納骨堂１２の前方部分にのみ設けられている。また、笠石１４の前面側の先端部分は、納骨堂１２の扉石１５から雨が浸入しないように墓の前面側に少し張り出すように設けてあり、張り出した部分の上面は前面側に向かって下方に傾斜している。
【００１８】
図３に示すように、スライド石３の形状は方形をなした平板状であり、前面側の下面には図２に示すように突起部３１がスライド石３と一体的に形成されており、突起部３１が持ち手の役目となっている。スライド石３の前面側への張り出し幅は、墓の大きさや簡易テーブルとして使用した場合の作業性を考慮して決める必要があるが、好ましくは３０ｃｍ〜５０ｃｍ程度張り出させることが望ましい。スライド石３の厚みとしては、作業テーブルとして使用する際に、供物等の重さに耐えうる強度を持ち、且つ、誰もが出し入れ作業を容易に行える重さにすることが望ましく、墓の大きさに応じて適宜変更するものであるが、具体的には１．５ｍｍ〜２ｍｍ程度である。
【００１９】
図４に示すように、スライド金具４は、スライド石３を平行に前後移動させるための一対のガイドレール４１と、ガイドレール４１に沿って移動するスライド板４２と、スライド板４２をスムーズに移動させるためのボールベアリング（転がり軸受）４３と、スライド石３の移動を規制するストッパー部材４１ａ，４１ｂから構成されており、各部４１，４２，４３は雨風にさらされても錆びないようにステンレスから形成されている。
【００２０】
図５（ａ）（ｂ）に示すように、ガイドレール４１の短手方向の左右両端は上向きに、スライド板４２の短手方向の左右両端は下向きに屈曲されており、スライド板４２の屈曲部分がボールベアリング４３を介してガイドレール４１の屈曲部分の内側に沿って移動可能なように構成してある。各屈曲部分の形状は、ボールベアリング４３のボール４３ｄが介在可能なように丸みを持たせてある。
【００２１】
ボールベアリング４３は、ガイドレール４１の内側に配設されるものであり、短手方向の中心部が凸状をなした支持板４３ａと、該支持板４３ａの短手方向の左右両端から上方側に突出する複数の突起片４３ｂと、各突起片４３ｂに形成した受孔４３ｃ内に回転可能に支持されるボール４３ｄとから構成されている。このようなボールベアリング４３をガイドレール４１とスライド板４２との間に介在させることにより、スライド板４２の滑りが良好となり、その結果、重たいスライド石３の出し入れ作業を小さな力でより一層スムーズ且つ簡便に行うことが可能となる。
【００２２】
ストッパー部材４１ａ，４１ｂは、スライド石３を出し入れした位置で固定しておくためのものであり、ガイドレール４１の平板部分の一部を上向きに突出するように加工を施した凸部４１ａと、平板部分の一部にコ字状の切り込みを入れ、切り込みの入っていない部分を支点として切り込み部分を上向きに屈曲させた屈曲片４１ｂであり、それぞれガイドレール４１と一体的に形成されている。各ストッパー部材４１ａ，４１ｂの形成位置としては、凸部４１ａはガイドレール４１の長手方向の手前側部分であり、屈曲片４１ｂは奥側部分である。奥側部分といっても、ガイドレール４１を長手方向に四等分したうちの手前から三等分目と四等分目の略境界位置に形成してある。この凸部４１ａと屈曲片４１ｂとの間を前後に移動可能なようにボールベアリング４３の支持板４３ａが配置される。
尚、二箇所に形成したストッパー部材４１ａ，４１ｂの形状は、互いに凸部４１ａと屈曲片４１ｂというように異ならせてもよいが、両方共同じ形状にしてもよいし、スライド石３を固定することが可能なものであれば、別の形状であっても勿論よい。また、ストッパー部材４１ａ，４１ｂは必ずしもガイドレール４１と一体的に形成しなくてもよく、例えば別体に形成した凸部４１ａや屈曲片４１ｂをガイドレール４１の平板部分に固着させたりすることもできる。
【００２３】
上記のように構成されたスライド金具４は、ガイドレール４１を納骨堂用蓋石１６に、スライド板４２をスライド石３に接着剤で固着させるものであり、スライド石３を引き出す場合は、スライド石３の突起部３１に手を引っ掛けて手前側に引くことにより、図６（ｂ）に示すように、スライド石３に固着されたスライド板４２がボールベアリング４３を介してガイドレール４１に沿って墓の前方側に移動する。この時、ボール４３ｄの転がりによってボールベアリング４３も同時に前方側に移動し、ボールベアリング４３の支持板４３ａの前部先端が凸部４１ａに当接することにより、スライド板４２の移動が停止してスライド石３が墓の前面側に最大限に引き出された状態となる。凸部４１ａによってスライド石３の前方側への移動が規制されるため、それ以上手前にはスライド石３が引き出されないため、誤って引き出し過ぎてスライド石３が墓から外れてしまうことを防ぐことが可能となり、その結果、スライド石３が引き出した位置で固定されるため作業がし易くなると共に、重たいスライド石３が足の上に落下してしまう等の危険も確実に防止することができる。
反対にスライド石３を後方側に向かって押すことにより、図６（ａ）に示すように、スライド板４２がガイドレール４１に沿って後方に移動し、ボールベアリング４３の支持板４３ａの後部先端が屈曲片４１ｂに当接することにより、スライド板４２の後方への移動が停止してスライド石３が墓の内部に収納された状態となる。屈曲片４１ｂによってスライド石３の後方側への移動が規制されるため、スライド石３が墓内部の奥に入ってしまうことを防ぐことが可能となり、次にスライド石３を引き出す際に容易に引き出すことが可能となる。尚、スライド石３を墓内に収納した際には、スライド石３の突起部３１の一部が納骨堂１２の左右の柱の上部に当接するため、これによってもスライド石３を墓内部の奥後方に収納されてしまうことを防いでいる。
ここで、スライド板４２はガイドレール４１に着脱可能になっており、スライド石３を力強く手前に引くことにより、スライド板４２がガイドレール４１から開放される構造になっている。このため、スライド板４２の奥側の端部（図６（ａ）のスライド板４２の左端部）の形状は、スライド板４２の屈曲部分にボールベアリング４３のボール４３ｄがスムーズに導かれて、ガイドレール４１にスライド板４２を容易に取り付け可能にするために、奥側先端に向かってスライド板４２の短手方向の幅が小さくなるように形成されている。
【００２４】
図７及び図８は、本発明の第２実施形態を示すものであり、第１実施形態と相違するところは、スライド石５の形状が略半円形の平板状であり、笠石１４から連通して垂直方向に設けられた軸５１を中心に鉛直軸心方向に回転可能に備えてある点である。スライド石５は曲面側の前方部分を簡易テーブルとして使用するもので、使用する際に笠石１４よりも前面側に曲面側の前方部分が張り出すようにスライド石５の大きさ、又は軸５１の設ける位置を決定する。また、納骨堂１２の前面側に備えた扉石１５は、スライド石５から下方に突出するように取り付けられたボルト６によって開かないように規制されている。
【００２５】
図９（ａ）（ｂ）及び図１０（ａ）（ｂ）は、スライド石５の回転手段を示すものである。図９（ａ）（ｂ）はスライド石５の回転手段の主要部を示す拡大断面図であり、図９（ａ）は回転手段の組み立てた状態を示す断面図であり、図９（ｂ）は回転手段の分解した状態を示す断面図である。また、図１０（ａ）（ｂ）は図９（ａ）のＤ−Ｄ矢視の一部を省略した平面図を示したものであり、図１０（ａ）はスライド石５を墓の内部に収容した状態を示すものであり、図１０（ｂ）はスライド石５を墓の前面側に引き出した状態を示すものである。回転手段は、笠石１４とスライド石５に連通して挿嵌される軸５１と、軸５１と笠石１４及び軸５１とスライド石５の間に介在する回転補助部材５２，５３と、スライド石５の回転を規制するストッパー部材と、から構成されている。
【００２６】
軸５１は円柱状を成しており、上下端部は段差状に径を小さく形成し、小径部の外周面にはネジ５１ａが形成してある。上端部にはナット（図示省略）が螺合し、下端部には円形の断面凸状を成した中心部にネジ孔５４ａが形成された軸止部材５４が螺合する。また、下端部の小径部には、下端面から上方に向かって垂直にボルト孔５１ｂが形成されており、その内周面にはボルト６が螺合するようにネジ（図示省略）が形成してある。ここでボルト６とは、前述したように納骨堂１２の扉石１５が開かないように規制するためのものであり、必ずしも本実施形態のように軸５１とボルト６を同軸の一体型に形成にする必要はなく、スライド石５の大きさ等によっては同軸にすることが困難である場合もあるため、別体に形成してもよい。ボルト孔５１ｂの深さに関しては、ボルト６の軸部が完全に収容されるようにしてもよいが、ボルト６の取り外しがより容易となるように、ボルト６の軸の一部のみが螺合可能となるように形成することが望ましい。
【００２７】
回転補助部材５２，５３は塩化ビニールや金属から形成した円筒状を成しており、軸５１と笠石１４の間に介在する回転補助部材５２の下端部分には、下向き凹部５２ａが対向位置に形成してあり、軸５１とスライド石５の間に介在する回転補助部材５３の上端部には、凹部５３ａが対向位置に形成されている。
【００２８】
ストッパー部材はボール５５と、押板５６と、コイルスプリング５７と、受板５８と、から構成されている。ボール５５は球状を成しており、押板５６及び受板５８は円形の平板状を成し、各板５６，５８の中心部には軸５１を挿嵌するための軸孔５６ａ，５８ａが形成されている。また、コイルスプリング５７の内径は回転補助部材５２が挿嵌する大きさである。押板５６の軸孔５６ａの上端周縁の対向位置には、回転補助部材５２の下向き凹部５２ａに嵌り込む突起部５６ｂが形成されている。また、押板５６には、下端面から上方に向かって垂直にボール５５を回転可能に遊嵌し且つボール５５の下端部分が押板５６の下面より下方に突出するような深さのボール孔５６ｃを、等角度を置いて複数形成してある。ここで、ボール孔５６ｃは押板５６の中心から同半径位置に複数形成してもよいが、より一層スムーズにスライド石５を墓の前面側に引き出すために、それぞれ中心からの半径を少しずつ変えた位置に形成することが望ましい。受板５８の軸孔５８ａの下端周縁の対向位置には、回転補助部材５３の凹部５３ａに嵌り込む突起部５８ｂが形成されている。また、受板５８には、ボール５５の下端部分を係止させるための係止孔５８ｃが押板５６に形成されたボール孔５６ｃと対応する箇所と、対応する箇所から角度をずらして等角度を置いて複数形成してある。
【００２９】
笠石１４には、段差状に上方から順に径が大きくなるように貫通孔１４ａが形成されており、下端部分が大径部１４ｂとなっており、それより上部が中径部１４ｃ、さらに上端部分が小径部（図示省略）となっている。貫通孔１４ａの小径部の内径はナットが嵌り込む大きさであり、中径部１４ｃの内径は回転補助部材５２が挿嵌する大きさであり、貫通孔１４ａの大径部１４ｂの内径はストッパー部材が遊嵌する大きさである。スライド石５には笠石１４に設けた貫通孔１４ａと連通する形で断面凸状の挿通孔３２が形成してあり、挿通孔３２の下端部分が大径部３２ａとなっており、それより上部が小径部３２ｂとなっている。挿通孔３２の小径部３２ｂは貫通孔１４ａの中径部１４ｃとほぼ同径の大きさに形成してあり、挿通孔３２の大径部３２ａの内径は、軸止部材５４が嵌り込む大きさである。
【００３０】
次に、回転手段の組み立てた状態について説明する。まず、貫通孔１４ａの中径部１４ｃ及び挿通孔３２の小径部３２ｂに回転補助部材５２，５３をそれぞれ挿嵌し、中径部１４ｃ及び小径部３２ｂの内周壁に強固に固着させる。そして、貫通孔１４ａに挿嵌した回転補助部材５２に軸５１を挿嵌させる。軸５１の下端部分、即ちスライド石５の挿通孔３２に挿嵌する部分は、笠石１４の下端より下方に突出している。このように、笠石１４及びスライド石５と軸５１との間に回転補助部材５２，５３を介在させることにより、軸５１の回転がよりスムーズなものとなり、スライド石５の出し入れ作業が容易となる。次に、コイルスプリング５７に軸５１及び回転補助部材５２を挿嵌し、コイルスプリング５７を貫通孔１４ａの大径部１４ｂの上面まで到達させる。そして、押板５６の軸孔５６ａに軸５１を挿嵌し、回転補助部材５２の下向き凹部５２ａと押板５６の突起部５６ｂを嵌合させて押板５６を回転補助部材５２に固定する。また、受板５８の突起部５８ｂをスライド石５の挿通孔３２に挿嵌した回転補助部材５３の凹部５３ａに嵌合させて受板５８を回転補助部材５３に固定する。そして、押板５６のボール孔５６ｃにボール５５を遊嵌すると共に受板５８の軸孔５８ａと回転補助部材５３に軸５１を挿嵌し、ボール５５の下端部を受板５８の係止孔５８ｃに係止させ、軸５１の下端部のネジ５１ａに軸止部材５４を螺合することで、図９（ａ）に示すような回転手段の組み立てた状態が完成する。ここで、笠石１４に備えた回転補助部材５２の上端は貫通孔１４ａの中径部１４ｃの上面と面一になっており、下端は貫通孔１４ａの大径部１４ｂの上面より下方に突出しており、突出した外周部分にコイルスプリング５７を挿嵌する。また、スライド石５に備えた回転補助部材５３の上端はスライド石５の上面から僅かに突出しており、下端はスライド石５の下面と面一になっている。笠石１４の貫通孔１４ａの大径部１４ｂには、コイルスプリング５７、押板５６及び受板５８が嵌り込み、受板５８は受板５８の下面が笠石１４の下面と面一になっている。また、スライド石５の下面と軸止部材５４の下面も面一になっている。
【００３１】
上記のようにストッパー部材を備えて組み立てた回転手段において、スライド石５を墓の内部に収容する場合、図９（ａ）及び図１０（ａ）に示すように、押板５６の下面から下方に突出する全てのボール５５の下端部が、コイルスプリング５７の弾力により下向きに力を加えられた押板５６によって受板５８の係止孔５８ｃに係止するため、スライド石５が自動的に回転することを防ぎ、墓の内部への収容状態を確実に保持することができる。また、係止孔５８ｃにボール５５の下端部が係止することで、図１０（ｂ）に示すような、スライド石５の曲面部分の一部が墓の前面側に引き出された状態で固定される。ここで、コイルスプリング５７によって押板５６が上下方向に僅かに移動可能に備えられているため、ボール５５を係止孔５８ｃから開放させてスライド石５を回転させる際には、係止孔５８ｃに係止するボール５５の下端部の分、ボール５５と連動して押板５６が上方に移動するため、より小さな力でスライド石５を回転させることができる。また、スライド石５に備えた回転補助部材５３の上端は、僅かにスライド石５の上方に突出しているため、笠石１４とスライド石５の間に隙間が形成され、スライド石５を回転させる際に各石材５、１４同士が直接接触することを防ぐことが可能となるため、スライド石５を容易に回転させることができると共に、各石材５、１４の耐久年数を向上させることができる。スライド石５の回転角度に関しては、１２０°や１８０°等スライド石５が墓の前面側に引き出され且つ作業スペースが十分に確保できれば特に限定するものではないが、１４５°にすることが望ましい。このようにすれば、墓の内部に収納してあるスライド石５の左右どちらか片側のみに持ち手を備えるだけで、スムーズ且つ容易にスライド石５を回転させることができる。
【００３２】
ここで、ストッパー部材に関しては、前記実施形態に限定されるものではなく、例えば、墓の大きさ及びスライド石の大きさに応じて、コイルスプリングを省き、ボール、押板及び受板のみから構成してもよい。この場合、押板自身の重さのみでボールをボール孔に係止させるため、押板の重さを調節し、ボールを係止孔に確実に係止させるようにする。また、貫通孔の大径部の上面と押板の間に介在させる部材は、コイルスプリングに限定されるものではなく、弾力性を保有する部材であれば特に問わず、例えばシリコンゴム等で円筒状に形成した弾性体等を挙げることができる。
【００３３】
図１１は、納骨堂１２の上端部を示す一部を省略した斜視図である。図１２に示す従来の墓では、納骨堂８０の前面側に配置された観音開き式の扉石８４は、各扉石８４の端部の上下端部と蓋石８５及び土台８６とを軸支することにより、軸（図示省略）を中心に回動し観音開き式に開閉可能に構成されている。しかし、本発明の墓の場合は、納骨堂１２と蓋石１３の間にスライド石５を介在させているため、従来の扉石の開閉構造では、扉石の上部に設けられた軸が邪魔となり、スライド石５を前後方向に移動させたり、鉛直軸心方向に回転させることは不可能であった。そこで、図１１に示すように、扉石１５の端部の上面と納骨堂１２の側壁１７の上面とをＬ字状の止金具７によって回動可能に連結することにより、納骨堂１２の上面に突起物等がなくなり水平状態を確保することができるため、スライド石３を前後方向に移動させたり、スライド石５を鉛直軸心方向に回転可能にすると共に、扉石１５を観音開き式に開閉可能にすることができる。ここで、Ｌ字状の止金具７と止金具７を使用した回動構造について説明する。止金具７はＬ字状の平板であり、一端部分には垂直方向に軸孔７１を形成し、他端部分は先端をさらに下向きＬ字状に屈曲してある。扉石１５の端部上面には軸孔（図示省略）を形成し、納骨堂１２の側壁１７上面には凹部１７ａが形成してある。そして、止金具７の一端部分の軸孔７１を扉石１５の軸孔に重ね合わせて、上から軸７２を打ち込んで軸支し、他端部分の屈曲部分を納骨堂１２の側壁１７の凹部１７ａに嵌合することにより、扉石１５を観音開き式に開閉することができる。さらに、止金具７の厚み分だけ、扉石１５の上面と側壁１７の上面の止金具７を備える部分を段差状に低く形成してあるため、扉石１５、側壁１７及び止金具７の上面が面一となり止金具７が納骨堂１２の上面から突出せず、完全に納骨堂１２内に収容される形となるので、スライド石３を前後に移動させたり、スライド石５を回転させる際の障害物になったりする等の影響は一切無くなる。扉石１５に形成する軸孔の位置は、扉石１５を約９０°回転させて全開にすることができるように、扉石１５の厚みを考慮し扉石１５の端部よりも少し内側に形成することが望ましい。
【図面の簡単な説明】
【００３４】
【図１】本発明の墓の第１実施形態を示す正面図である。
【図２】図１のＡ−Ａ矢視を示す断面図である。
【図３】第１実施形態の墓を示す一部切欠した平面図である。
【図４】スライド金具の分解した状態を示す平面図である。
【図５（ａ）（ｂ）】図４のＢ−Ｂ矢視及びＣ−Ｃ矢視を示す断面図である。
【図６（ａ）（ｂ）】スライド金具の動作を示す平面図である。
【図７】本発明の墓の第２実施形態を示す縦断面図である。
【図８】第２実施形態の墓を示す一部切欠した平面図である。
【図９（ａ）（ｂ）】スライド石の回転手段の主要部を示す拡大断面図である。
【図１０（ａ）（ｂ）】図９（ａ）のＤ−Ｄ矢視の一部を省略した平面図である。
【図１１】納骨堂の上端部を示す一部を省略した斜視図である。
【図１２】従来の墓を示す斜視図である。
【符号の説明】
【００３５】
３  スライド石（スライド板）
４  スライド金具（ガイド部材）
５  スライド石（スライド板）
４１ａ  凸部（ストッパー部材）
４１ｂ  屈曲片（ストッパー部材）
５５  ボール（ストッパー部材）
５６  押板（ストッパー部材）
５７  コイルスプリング（ストッパー部材）
５８  受板（ストッパー部材）
【図１】
2007100439.tif 000003
【図２】
2007100439.tif 000004
【図３】
2007100439.tif 000005
【図４】
2007100439.tif 000006
【図５（ａ）（ｂ）】
2007100439.tif 000007
【図６（ａ）（ｂ）】
2007100439.tif 000008
【図７】
2007100439.tif 000009
【図８】
2007100439.tif 000010
【図９（ａ）（ｂ）】
2007100439.tif 000011
【図１０（ａ）（ｂ）】
2007100439.tif 000012
【図１１】
2007100439.tif 000013
【図１２】
2007100439.tif 000014